(57)【要約】【課題】  磁気ディスクメディアの反りの影響を抑えることで、転送速度が速く、スペース効率の高い記録ディスクカートリッジを提供する。【解決手段】  複数のフレキシブルな記録ディスクメディア１を一体回転可能に収容した記録ディスクカートリッジであって、各記録ディスクメディア１は、少なくともその記録ディスクメディア１にデータの記録および／または再生を行なうディスクドライブが有するヘッド群に対応する群ごとに、前記各記録ディスクメディア１の反りの凹凸の方向、反りの稜線の方向、および位置を揃えて配置された構成とする。【選択図】      図２
2006059441.tif 000002
【特許請求の範囲】
【請求項１】
複数のフレキシブルな記録ディスクメディアを一体回転可能に収容した記録ディスクカートリッジであって、
前記各記録ディスクメディアは、少なくともその記録ディスクメディアにデータの記録および／または再生を行なうディスクドライブが有するヘッド群に対応する群ごとに、前記各記録ディスクメディアの反りの凹凸の方向を揃えて配置されたことを特徴とする記録ディスクカートリッジ。
【請求項２】
前記各記録ディスクメディアは、その反りの頂点が形成する稜線の方向を予め設定された基準値内に揃えたことを特徴とする請求項１に記載の記録ディスクカートリッジ。
【請求項３】
前記各記録ディスクメディアは、その反りの頂点が形成する稜線の位置を予め設定された基準値内に揃えたことを特徴とする請求項２に記載の記録ディスクカートリッジ。
【請求項４】
前記記録ディスクカートリッジに収容されたすべての記録ディスクメディアについて、前記各記録ディスクメディアの反りの凹凸の方向を揃えることを特徴とする請求項１に記載の記録ディスクカートリッジ。
【請求項５】
前記記録ディスクカートリッジに収容されたすべての記録ディスクメディアについて、前記各記録ディスクメディアの前記稜線の方向を揃えることを特徴とする請求項２に記載の記録ディスクカートリッジ。
【請求項６】
前記記録ディスクカートリッジに収容されたすべての記録ディスクメディアについて、前記各記録ディスクメディアの前記稜線の位置を揃えることを特徴とする請求項３に記載の記録ディスクカートリッジ。
【請求項７】
前記反りの凹凸の方向を下に凸としたことを特徴とする請求項１から請求項６のいずれか１項に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
近年、記録ディスクカートリッジとしては、記憶容量を増大させるために、一つのケース内に複数の磁気ディスクメディアをその回転軸方向に並ぶように設けたものが知られている（特許文献１，２参照）。このような記録ディスクカートリッジによれば、前記した記憶容量の増大化を図ることができる他、複数の磁気ディスクメディアに対して記録再生装置側の複数のヘッドを別個に動かして同時にアクセスさせることでデータの転送速度の向上を図ることができ、さらには、複数の磁気ディスクメディアのうち一つをパリティ用として利用することで記録ディスクカートリッジの信頼性の向上をも図ることができる。
【特許文献１】特開２００４−２２０１１号公報
【特許文献２】特開平１１−１１０９４４号公報
【発明の開示】
【発明が解決しようとする課題】
【０００３】
ところで、フレキシブルな記録ディスクメディアは、一般に、可撓性支持体（フィルム）の表面に磁性塗料を塗布して形成されるため、かかる支持体の固有の特性、またはローラによる搬送、および表面処理等の製造過程において反りが発生する場合があり、記録ディスクメディアに要求される記録密度等、他の特性との兼ね合い上、この反りを完全に排除することは困難であり、一定量の反りが残存するのが実情である。
しかし、反りが残存した複数の磁気ディスクメディアを高速で回転させ、複数のヘッドが同時にアクセスする場合に、各磁気ディスクメディアの反りが不規則に形成されていると、ヘッドと磁気ディスクメディアの良好な近接接触状態（ヘッド当たり）を維持することができず、磁気ディスクメディアがヘッドに接触しすぎて強く当たるとヘッドの磨耗や磁気ディスクメディアの損傷を誘発し、ヘッドと磁気ディスクメディアの距離が離れすぎると出力が低下するという弊害があった。さらに、磁気ディスクメディアの反りにより、複数枚を重ねた際の収容効率が悪化するという問題点もあった。
そこで、本発明は、磁気ディスクメディアの反りの影響を最小限に抑えることで、各ヘッドごとのヘッド当たりを均一にしてヘッド等の磨耗を抑制しながら、転送速度が速く、しかも、スペース効率の高い大容量の記録ディスクカートリッジを提供することを課題とする。
【課題を解決するための手段】
【０００４】
前記の課題を解決するため、請求項１に係る発明は、複数のフレキシブルな記録ディスクメディアを一体回転可能に収容した記録ディスクカートリッジであって、前記各記録ディスクメディアは、少なくともその記録ディスクメディアにデータの記録および／または再生を行なうディスクドライブが有するヘッド群に対応する群ごとに、前記各記録ディスクメディアの反りの凹凸の方向を揃えて配置されたことを特徴とする。
このように、対応するヘッド群ごとに、各記録ディスクメディアについて、その反りの方向を上に凸にするか、下に凸にするか、反りの方向を揃えて配置することにより、記録ディスクメディアの中心部および周辺部における各記録ディスクメディアの間隙を均一にでき、しかも、その間隙自体を小さくすることができる。
なお、ここで、「ヘッド群」とは、一つの回転軸に一体に回動可能に設けられ、一体として作動する複数のヘッドの集合をいう。
【０００５】
また、記録ディスクカートリッジが複数のヘッド群を有するディスクドライブに使用される場合には、すべての記録ディスクメディアについて反りの凹凸の方向を揃えるのではなく、少なくともその記録ディスクメディアに対しデータの記録および／または再生を行なうディスクドライブが有する一群として作動するヘッド群に対応する群ごとに、前記反りの凹凸の方向を揃えて配置することにより、より効率的に各記録ディスクメディア間の間隙を管理することができる。
【０００６】
請求項２に係る発明は、請求項１に係る記録ディスクカートリッジであって、各記録ディスクメディアは、その反りの頂点が形成する稜線の方向を予め設定された基準値内に揃えたことを特徴とする。
このように、対応するヘッド群ごとに、各記録ディスクメディアについて、その反りの頂点が形成する稜線が、例えば、平行になるように揃えることにより、各稜線の方向が一致し、記録ディスクメディアの中心部および周辺部における各記録ディスクメディアの間隙も均一にでき、しかも、その間隙自体を小さくすることができる。
ここで、「稜線」とは、磁気ディスクメディアが下に凸の状態で反りが形成されている場合には、その凸側（下側）のピークが形成する尾根の線をいう。また、「稜線の方向」とは、その稜線の示す前後方向を含んだものをいう。
【０００７】
請求項３に係る発明は、請求項２に係る記録ディスクカートリッジであって、前記各記録ディスクメディアは、その反りの頂点が形成する稜線の位置を予め設定された基準値内に揃えたことを特徴とする。
このように、対応するヘッド群ごとに、各記録ディスクメディアについて、その反りの頂点が形成する稜線の位置を揃えることにより、記録ディスクメディアの中心部および周辺部における各記録ディスクメディアの間隙を均一にでき、その間隙自体も小さくすることができる。
ここで、「稜線の位置」とは、稜線の磁気ディスクメディアの中心からのオフセット量をいうが、磁気ディスクメディアの中心を境にしてどちら側にオフセットしているかも問題とする。
【０００８】
請求項４に係る発明は、請求項１に記載の記録ディスクカートリッジであって、前記記録ディスクカートリッジに収容されたすべての記録ディスクメディアについて、前記各記録ディスクメディアの反りの凹凸の方向を揃えることを特徴とする。
【０００９】
請求項５に係る発明は、請求項２に記載の記録ディスクカートリッジであって、前記記録ディスクカートリッジに収容されたすべての記録ディスクメディアについて、前記各記録ディスクメディアの前記稜線の方向を揃えることを特徴とする。
【００１０】
請求項６に係る発明は、請求項３に記載の記録ディスクカートリッジであって、前記記録ディスクカートリッジに収容されたすべての記録ディスクメディアについて、前記各記録ディスクメディアの前記稜線の位置を揃えることを特徴とする。
【００１１】
請求項４から請求項６に係る発明においては、記録ディスクカートリッジに収容されたすべての記録ディスクメディアについてその反りの方向等を揃えることにより、ヘッド群の態様に関わらず、記録ディスクメディア全体として、その中心部および周辺部における各記録ディスクメディアの間隙を均一にでき、その間隙自体も小さくすることができるとともに、組み立て工程を簡素化することができる。
【００１２】
請求項７に係る発明は、請求項１から請求項６のいずれか１項に記載の記録ディスクカートリッジであって、前記反りの凹凸の方向を下に凸としたことを特徴とする。
このように、記録ディスクメディアの反りの方向を下に凸にすることによって、記録ディスクメディアの周辺部が上向きに傾斜するため、重力が記録ディスクメディアの反りを減少させる方向に作用し、記録ディスクメディア自体の平坦度を向上させることができる。
【発明の効果】
【００１３】
本発明によれば、各記録ディスクメディア間の間隙を小さくすることができるため、記録ディスクメディアを複数枚重ねても全体としてコンパクトに収容できる。さらに、各ヘッドごとの近接接触状態（ヘッド当たり）を均一にすることができるため、ヘッドの磨耗や記録ディスクメディアの損傷を防止しながら、転送速度を向上して、質の高い記録・再生処理を行うことができるディスクカートリッジを提供することができる。
【発明を実施するための最良の形態】
【００１４】
以下、本発明に係る二つの実施形態について説明する。第１の実施形態は、磁気ディスクメディアに係るシート状の支持体の製造工程における搬送ローラの送り方向等との関係から、反りの方向等が予測できる場合の実施形態を示している。一方、第２の実施形態は、反りの方向等を予測できない場合に、完成した磁気ディスクメディアの反りの方向等を計測し、そのデータ等に基づき反りの方向等を揃えて磁気ディスクカートリッジに収容する場合の実施形態を示す。なお、以下の説明において、両実施形態に重複する記載は、一方を省略する。
【００１５】
〔第１の実施形態〕
本発明の第１の実施形態について、適宜図面を参照しながら詳細に説明する。
図１は、本実施形態に係る記録ディスクカートリッジの基本構成を示す分解斜視図である。図１に示すように、記録ディスクカートリッジ１０は、三枚の磁気ディスクメディア１と、これらの磁気ディスクメディア１を一体に連結する回転体２と、磁気ディスクメディア１および回転体２を収容するケース３およびシャッタ４とで主に構成されている。
なお、本実施形態においては、各磁気ディスクメディアに対応して、それぞれ図示しない複数の薄膜磁気ヘッドが開口部５１ｄから挿入されて、各磁気ディスクメディアを上下から適切な近接接触状態（ヘッド当たり）を保ちながら挟むようして直線的に移動しながらトラック上を走査することにより、記録・再生が行われる。
【００１６】
「記録ディスクメディア」は、本実施形態においては、一例として、磁気ディスクメディアを採用したが、フレキシブルなディスクメディアであれば、光ディスクメディア等であってもよく、信号の記録・再生方式によって限定されるものではない。
また、本発明は、カートリッジケースの形状や磁気ディスクメディアの収容ないし分割方法、およびシャッタの構造等によって限定されるものでもない。さらに、例えば、丸型のカートリッジケースを採用し、ロータリー式のシャッタを複数備え、複数のヘッド群を備えて、そのヘッド群ごとに磁気ディスクメディアにアクセスするように構成することも可能である。要するに、本発明は、フレキシブルな磁気ディスクメディアが複数枚重ねられた構造を備えた記録ディスクカートリッジであれば適用できるものである。
【００１７】
磁気ディスクメディア１は、ポリエチレンテレフタレート（ＰＥＴ）等からなるシート状の支持体の両面に磁性塗料を塗布して形成された、いわゆるフレキシブルディスクであり、その中央部と外周縁部がそれぞれ非記録領域１ａ，１ｂとされ、これらの領域を除く円環上に記録領域１ｃが設定されている。また、磁気ディスクメディア１の中央部には、磁気ディスクメディア１を回転体２に取り付けるための所定形状の取付孔１１（図４参照）が形成されている。
【００１８】
ここで、磁気ディスクメディアの反りの方向等とシート材の送り方向との関係について言及する。一般に、磁気ディスクメディアは、その支持体の材質等により、種々の製造方法があるが、ローラに巻回されたフィルムから搬送ローラで巻き出されながら各工程間を移動し、表面処理、加熱処理、および成膜処理等が行われ、最終的にディスク状にトリミングされる。
このように、一定方向に搬送されながら各工程間を移動するため、この搬送方向に起因した磁気ディスクメディアの異方性が認められる場合があり、上面または下面側のどちらかに反る傾向がある。
したがって、第１の実施形態においては、磁気ディスクメディアの反りが形成する稜線の方向は、シート材の送り方向と一定の関係（例えば、送り方向と直角の方向）をもって形成されることに着目して、前記稜線の方向をシート材の送り方向に一致させて磁気ディスクメディアを配置することにより、前記稜線の方向を揃える構成としている。
【００１９】
図２は、記録ディスクカートリッジに磁気ディスクメディアを収容した状態を示す断面図であり、図３は回転体の構成を示す図２の部分拡大図である。また、図４は、磁気ディスクメディアの取付孔の形状とセンタコアの上面に設けられた凸部の形状との関係を示す斜視図である。
まず、回転体の構成について説明する。図２および図３に示すように、回転体２は、三枚の磁気ディスクメディア１を所定の間隔で一体に連結させるものであり、三枚のセンタコア２１，２１，２１ａと、リテーナプレート２２と、ベアリングボール２３と、センタプレート２４とを備えて構成されている。
【００２０】
センタコア２１は、円盤状に形成され、その上面には凸部２１１を、下面には凹部２１２を備えている。このセンタコア２１は、磁気ディスクメディア１を所定の間隔を設けて一体に固定して回転軸を形成できるように、それぞれ上面の凸部２１１および下面の凹部２１２を係合させて、段積みに配置されている。
また、センタコア２１の上面の凸部２１１の形状は、磁気ディスクメディア１に設けられた取付孔１１に係合するように形成され、下面の凹部２１２の形状は、前記上面の凸部２１１に係合されるように構成されている。一例として、凸部２１１は二つの小径円柱状に形成され（図４参照）、その形状に対応する凹部２１２形状としている。
【００２１】
図４は、磁気ディスクメディアの取付孔の形状とセンタコアの上面に設けられた凸部の形状との関係を示す斜視図である。
一方、図４に示すように、磁気ディスクメディア１には、二つの小径の取付孔１１が、シート材の送り方向と一致する方向（Ｎ−Ｎ）に沿って形成され、この二つの小径孔の中心が回転中心に一致するように配置されている。
したがって、センタコア２１の上面の凸部２１１と磁気ディスクメディア１に形成された二つの小径の取付孔１１とを係合させて、順次センタコア２１を段積みすることにより、複数の磁気ディスクメディア１をシート材の送り方向に揃えて、一体回転可能に配置することができる（図２、図３参照）。
【００２２】
また、磁気ディスクメディア１の取付孔１１を二つの径の等しい小径孔として、点対象の形状を採用したため、センタコア２１を１８０度回転させても両者を係合させることができるように構成されている。１８０度回転することにより稜線の位置を揃えることができるように構成したものである。
図５（ａ）から（ｃ）は、そのようなセンタコアの凸部の形状を例示したものであり、（ａ）は長方形、（ｂ）はひし形、（ｃ）は楕円形状を表している。
【００２３】
図３に示すように、底部センタコア２１ａは、磁気的に吸着可能な磁性部材で構成され、その下面には、図示しないディスクドライブ内のドライブスピンドルに係合させるため、一例として、略四角形状の中心穴２１ｇを備えている。この中心穴２１ｇに、前記ドライブスピンドルを嵌入し、回転体２１を磁気的に吸着することによって、前記ドライブスピンドルとともに回転し、磁気ディスクメディア１の回転振れを防止するように構成されている。
【００２４】
リテーナプレート２２は、円盤状に形成され、センタコア２１の上部に嵌設されている。リテーナプレート２２の下面には、その下のセンタコア２１の上面の凸部２１１と係合する凹部２１２が形成されており、リテーナプレート２２上面の中央部にはベアリングボール２３を回転自在に保持するボール保持穴が設けられている。したがって、リテーナプレート２２は、センタコア２１と一体となって回転体２を形成している。
【００２５】
ベアリングボール２３は、一例として、ボールベアリングに使用される鋼製の球体からなるが、滑り性、耐摩耗性に優れた樹脂、例えば、ポリテトラフルオロエチレン、ポリオキシメチレン樹脂等により構成してもよい。ベアリングボール２３は、リテーナプレート２２のボール保持穴内に配置されて、ボール保持穴の底面およびセンタプレート２４と点接触により当接して、センタコア２１に固着された磁気ディスクメディア１を回転支持する。
【００２６】
センタプレート２４は、矩形のシート状に形成され、二つのハーフ５，６の境界部分のセンタコア２１の上方に貼り付けられた滑り部材である。センタプレート２４は、例えば、ポリオキシメチレン樹脂、超高分子量ポリエチレンなどの滑り性と耐摩耗性に優れた材料から構成することができる。
【００２７】
次に、磁気ディスクメディアを収容するケースの構成について説明する。図１に示すように、ケース３は、回転体２によって一体に固定された三枚の磁気ディスクメディア１を収容するためのものであり、一例として、収容される磁気ディスクメディア１の中心を基準にして二つのハーフ５，６に分割され、接着等により結合する構成としている。
なお、以下の説明においては、ケース３のうちシャッタ４が取り付けられる側を前側と呼び、その反対側を後側と呼ぶこととし、さらに、前記した二つのハーフ５，６を、前側ハーフ５および後側ハーフ６と呼ぶことがある。
【００２８】
説明の便宜上、後側ハーフ６から説明する。後側ハーフ６は、図７に示すように、上下に四分割した部品から構成されており、その下側の一段目から三段目を構成する同一形状の後側収容部６１と、三段目の後側収容部６１の上端に接合される平板状の後側上壁部６２とで主に構成され、三つの部屋が形成されている（図１参照）。後側収容部６１は、矩形の平板の三辺に側壁を立設したトレイ状の形状となっており、その底部６１ａの前端の中央部には、回転体２（図２，３参照）の外径よりも大径となる半円状の逃がし部６１ｂが形成されている。
【００２９】
図１に示すように、前側ハーフ５には、その前部にシャッタ４を取り付けるための凹部５１が、上面５ａ、前面５ｂ、下面５ｃに渡って形成されている。この凹部５１には、その上面５１ａ、前面５１ｂ、下面５１ｃに渡って開口部５１ｄが形成されており、この開口部５１ｄを介して図示しない記録再生装置の複数の磁気ヘッドがケース３の内部の各磁気ディスクメディア１にアクセスすることが可能となっている。
また、凹部５１の上面５１ａには、後記するシャッタ４の抜け止め用の係止爪４１を係止させるための係止用孔５１ｅが開口部５１ｄを挟んだ両側に形成されている。
さらに、凹部５１の前面５１ｂには、後記するシャッタ４のスライド用のガイド爪４２を摺動自在に係合させるための溝状のスリット５１ｆと、シャッタ４を常時閉方向（図示手前側）に付勢するためのシャッタ閉塞用ばね７の一端部７１を収容し、かつ、図示しない係止部で係止するための係止穴５１ｇとが形成されている。
【００３０】
また、前側ハーフ５は、図８に示すように、複数に分割されて構成されている。詳しくは、下側の一段目を構成する第一収容部５２と、二段目を構成する第二収容部５３と、三段目を構成する第三収容部５４と、この第三収容部５４の上端に接合される前側上壁部５５とで主に構成されている。
【００３１】
第一収容部５２は、前記した後側収容部６１（図７参照）に対してほぼ前後対称となる形状に形成されており、その前壁５２ｃには、前記した凹部５１、開口部５１ｄ、スリット５１ｆ、係止穴５１ｇの下側半分を構成する形状部５２ｄが適宜形成されている。これに対し、略平板状となる前側上壁部５５の前端には、前記した凹部５１、開口部５１ｄ、スリット５１ｆ、係止穴５１ｇの上側半分を構成する形状部５５ｄ（係止用孔５１ｅの形状部分も含む）が適宜形成されている。
【００３２】
第二収容部５３は、前記した後側収容部６１（図７参照）に対してほぼ前後対称となる形状に形成されており、その底部５３ａに形成された半円状の逃がし部５３ｂから前方に向かって所定の幅の分割溝５３ｃが形成されることによって、実質、二部品に分かれて構成されている。また、第二収容部５３の前部は、第一収容部５２（または、前側上壁部５５）の前部の形状に対応する逃がしが設けられている。なお、第三収容部５４は、第二収容部５３と同じ構造であるため、その説明を省略する。
このように、第二収容部５３および第三収容部５４に分割溝５３ｃ，５４ｃが形成されることによって、前側ハーフ５の開口部５１ｄから挿入される図示しない複数の磁気ヘッドが磁気ディスクメディア１の記録領域１ｃ（図１参照）の内周縁まで良好に移動することが可能となっている。
【００３３】
なお、ケース内を分割して各収容部を設けたのは、重ね合わされた各磁気ディスクメディアが回転時に干渉しないようにするためであり、さらに、各収容部の壁に不織布等のライナ８１を張ることにより磁気ディスクメディアの損傷を防止している。
【００３４】
図１を参照して、ケースの前面開口部を開放、閉塞するシャッタの構成について説明する。シャッタ４は、上壁４ａ、前壁４ｂ、下壁４ｃによって断面視略Ｕ字状に形成されており、これにより前側ハーフ５の凹部５１に嵌まり込んで左右にスライドする構造となっている。そして、シャッタ４の上壁４ａには、シャッタ４の抜け止めに寄与する二つの係止爪４１が切り曲げられて形成されており、これらの係止爪４１は、前側ハーフ５に形成された二つの係止用孔５１ｅによって前後方向のみにおいて係止され、かつ、左右方向においては摺動が許容されるようになっている。
【００３５】
シャッタ４の前壁４ｂには、シャッタ４のスライドに寄与するガイド爪４２が後方に向けて切り曲げられて形成されるとともに、その上端から下端にわたる範囲で開口部４３が形成されている。そして、前記したガイド爪４２が前側ハーフ５に形成されたスリット５１ｆに摺動自在に係合するとともに、シャッタ閉塞用ばね７の他端部７２と係合することによって、このシャッタ閉塞用ばね７でシャッタ４が常時閉方向（図示手前側）に付勢されるようになっている。
【００３６】
すなわち、シャッタ４は、シャッタ閉塞用ばね７によって閉方向側に押し付けられている状態においては、その前壁４ｂで前側ハーフ５の開口部５１ｄを塞ぎ、また、シャッタ閉塞用ばね７の付勢力に抗して開方向側の所定位置まで移動させた状態においては、その開口部４３が前側ハーフ５の開口部５１ｄと一致するように構成されている。
なお、シャッタ閉塞用ばね７は、その基部７３が前側ハーフ５のスリット５１ｆから挿入されて前側ハーフ５内に収容され（図６参照）、かつ、その一端部７１が係止穴５１ｇ内に収容されるようになっており、その他端部７２（折り曲げられた部分）のみがスリット５１ｆ近傍の前面５１ｂに引っ掛かった状態でシャッタ４と係合するようになっている。
【００３７】
次に、記録ディスクカートリッジ１０の作用について図２から図４を参照して説明する。図２においては、磁気ディスクメディア１の反りを下に凸になるように揃えたものを表わしている。この磁気ディスクメディアの反りの凹凸の方向は、磁気ディスクメディアを反転して、回転コアに固着することにより揃えている。
【００３８】
最初に、図９を参照して、磁気ディスクメディアの反りの稜線および稜線の位置について説明する。図９は、磁気ディスクメディアの反りの稜線および稜線の位置を説明するための図である。図９において、Ｎ−Ｎは、シート材の送り方向を示し、Ｒは稜線の方向を示している。本実施形態では、一例として、稜線の方向Ｒはシート材の送り方向Ｎ−Ｎと直角に形成されているものとしている。また、Ｃは、磁気ディスクメディア１の中心を表わしている。
図９において、δは、稜線の磁気ディスクメディアの中心からのオフセット量を表わしている。なお、図９においては、稜線の位置を説明するために反りの状態を誇張して表わしている。
ここで、「稜線の方向」は、請求項２にいう「稜線の方向」に相当し、前記「稜線の位置」は、請求項３にいう「稜線の位置」に相当する。
【００３９】
第１の実施形態においては、予め一定の方向を基準として反りが発生することに着目して、磁気ディスクメディアには、前記方向を基準として所定の形状の取付孔を設け、同方向になるようにセンタコアに装着している。したがって、磁気ディスクメディアの反りの頂点が形成する稜線の方向を一定の基準値内に揃えることができる。
この基準値は、一例として、稜線が形成するシート材の送り方向に対する角度の範囲とすることができる。なお、この基準値は、使用される磁気ディスクメディアに求められる転送速度等の諸性能等を勘案して適宜定めることができる。
さらに、稜線の位置は、一例として、稜線の磁気ディスクメディアの中心からのオフセット量（δ）として特定できるが、磁気ディスクメディアの中心を境にしてどちら側にオフセットしているかも加味する。しかし、本実施形態においては、オフセットの方向は、磁気ディスクメディアを１８０度回転させることにより、揃えることができる。したがって、稜線の位置の基準値は、オフセット量の範囲として設定することができる。なお、稜線の位置等の基準値は、使用される磁気ディスクメディアに求められる転送速度等の諸性能等を勘案して適宜定めることができる。
【００４０】
このように、磁気ディスクメディアの反りの方向等を揃えることにより、複数の磁気ディスクメディアが高速で回転する状態で、各磁気ディスクメディアにそれぞれ薄膜磁気ヘッドが同時にアクセスする場合においても、ヘッドと磁気ディスクメディアの良好な近接接触状態（ヘッド当たり）を均一に保持して、ヘッド等の磨耗を抑制しながら、転送速度を向上させることができる。さらに、各磁気ディスクメディア間の間隙自体も小さくすることができ、限られたカートリッジケース内のスペースに効率よく磁気ディスクメディアを収容することができる。
【００４１】
〔第２の実施形態〕
第１の実施形態では、磁気ディスクメディアを構成するシート状の支持体の異方性に着目し、予め反りの発生する方向を判定して、磁気ディスクメディアに所定の取付孔を設けておき、センタコアの凸部に係合させて装着して、反りの方向等を揃える構成とした。
しかし、支持体の異方性の表われ方が予測できない場合には、トリムされた磁気ディスクメディアの反りの状態を計測して、その測定結果に基づき、反りの向き、および反りの稜線の方向、位置を揃えることもできる。
そこで、第２の実施形態では、磁気ディスクメディアの反りの状態を目視、または、計測データ等に基づき、反りの方向等を揃える構成を示す。
【００４２】
磁気ディスクメディアの反り状態は、その形状データを取得して判断するが、そのデータをグラフに表わしたものを一例として図１０から図１２に示す。
図１０は、磁気ディスクメディアの回転中心から一定の距離にある点の高さを円周上で測定しグラフに表したものであり、横軸に回転角度を、縦軸に変位を取っている。図１１は、は磁気ディスクメディアを平面視して、同一の高さの点をプロットして、その範囲を等高線のように表したものであり、縦軸および横軸は磁気ディスクメディアの位置（ｍｍ）を表している。図１２は、磁気ディスクメディアの反りの様子を立体的に表わしたものであり、磁気ディスクメディアの位置（ｍｍ）と高さ方向のひずみ（μｍ）とを３軸で表したものである。
【００４３】
図１０では、磁気ディスクメディア上の円周上の位置３点で測定している。具体的には、磁気ディスクメディアの中心部（ハブの近傍）、記録領域の中心部、および記録領域の外周付近をそれぞれ計測したものである。
図１０を参照すると、磁気ディスクメディアを一周する間にグラフ上の山と谷を示すピークがそれぞれ二回ずつ表れていることがわかる。グラフ上の山のピークは、横軸上で、およそ１６０度と３４０度に現れている。すなわち、山を形成する稜線は、およそ直線的に伸びており一回転する間にその稜線を二回横切ることを示している。そして、この山を形成するピークの高さは同じで、谷を形成する下向きのピークの高さが異なっており、磁気ディスクメディアの外周付近の方が中心部より高低差が大きいことがわかる（図１１，１２参照）。
【００４４】
また、反りのピークが形成する稜線の方向および位置は、図１１を参照して判断することができる。図１１からわかるように、ほとんど平行または若干円弧状に等高線が形成されている。一例として、この等高線の最も高い部分を示す等高線Ｐ１とＰ２とで挟まれたエリアＰから「稜線の方向」を定める。例えば、Ｐ１とＰ２とを直線で近似しその中点をプロットして稜線を求める方法や、Ｐ１とＰ２との中点を連続して直線で近似する方法等がある。
一方、「稜線の位置」は、前記のようにして求めた稜線に対する磁気ディスクメディアの中心からのオフセット量をいうが、磁気ディスクメディアの中心を境にしてどちら側にオフセットしているかも加味して定める。
【００４５】
このようにして、磁気ディスクメディアの反りを目視または計測し、反りの向き、および反りの形成する稜線の方向、およびその位置が一定基準値内の磁気ディスクメディアを選別し、反りの方向等を揃えてセンタコアにセットすることができる。この場合には、磁気ディスクメディアの取付孔は、方向性のない円形状等を採用し、反りの向き等を適宜揃えてセンタコアにセットする。
【００４６】
以上、本発明の実施形態について説明したが、本発明は、前記実施形態に限定されるものではなく、種々の形態で実施することができる。
例えば、記録ディスクメディアに反りの方向や位置を表す目印をつけておき、その目印を揃えてセンタコアに配置することができる。このようにすれば、反りの方向や位置が外観上で客観的に判断でき、センタコアに配置することが容易になるからである。
また、記録ディスクメディアの取付孔は、種々の形状が考えられるが、取付孔自体は、丸孔の標準規格のものを使用し、その周囲に別個に反りの方向を示す小径孔や切り欠き（ノッチ）を設け、その小径孔等に整合する凸部をセンタコアに設けて、両者を係合することにより記録ディスクメディアの反りの方向等を揃えるようにしてもよい。このようにすれば、標準の記録ディスクメディアに追加工するだけで、方向性を決定でき、同時に前記小径孔等が目印の機能をも兼ね備えることができるからである。
【００４７】
さらに、回転体を構成するセンタコアにおいても、本実施形態では、複数のセンタコアを段積みにして構成したが、一体として階段状に構成し、階段状の段部を磁気ディスクメディアの取付孔の形状と係合する形状としたものや、前記段部に前記取付孔の形状に係合する凸部を設けたものであってもよい。要するに、磁気ディスクメディアを所定の方向に揃えて一体的に回転可能なものであればその形状等は限定されるものではない。
【図面の簡単な説明】
【００４８】
【図１】本実施形態に係る記録ディスクカートリッジを示す分解斜視図である。
【図２】図１の記録ディスクカートリッジの内部構造を示す断面図である。
【図３】回転体の構成を示す図２の部分拡大図である。
【図４】磁気ディスクメディアの取付孔の形状とセンタコアの凸部の形状との関係を説明するための模式的斜視図である。
【図５】センタコアの他の形態を例示する斜視図である。
【図６】図２の矢印Ａから見た下面図である。
【図７】図１の後側ハーフを示す分解斜視図である。
【図８】図１の前側ハーフを示す分解斜視図である。
【図９】磁気ディスクメディアの反りの稜線および稜線の位置を説明するための模式図である。
【図１０】磁気ディスクメディアの反りの状態を円周上での変位で表わした図である。
【図１１】磁気ディスクメディアの反りの状態を平面視における同一高さの領域を等高線のように表わした図である。
【図１２】磁気ディスクメディアの反りの状態を立体的に表した図である。
【符号の説明】
【００４９】
１０    記録ディスクカートリッジ
１      磁気ディスクメディア
１１    取付孔
２      回転体
２１    センタコア
２１１  凸部
２１２  凹部
２１ａ  底部センタコア
２２    リテーナプレート
２３    ベアリングボール
２４    センタプレート
３      ケース
４      シャッタ
５      前側ハーフ
５２    第一収容部
５３    第二収容部
５４    第三収容部
５５    前側上壁部
６      後側ハーフ
６１    後側収容部
６２    後側上壁部
Ｒ      稜線
【図１】
2006059441.tif 000003
【図２】
2006059441.tif 000004
【図３】
2006059441.tif 000005
【図４】
2006059441.tif 000006
【図５】
2006059441.tif 000007
【図６】
2006059441.tif 000008
【図７】
2006059441.tif 000009
【図８】
2006059441.tif 000010
【図９】
2006059441.tif 000011
【図１０】
2006059441.tif 000012
【図１１】
2006059441.tif 000013
【図１２】
2006059441.tif 000014